【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
少なくとも第１の内部の導体、第２の内部の導体、および外部導体シールドを含むケーブルを通したデータ通信の方法であって、
前記第２の内部の導体を使用することなしに前記第１の内部の導体および前記導体シールドを使用して第１のデータ信号を送信することと、そして、
少なくとも前記第２の内部の導体を使用して第２のデータ信号を送信することと、
を備える、前記方法。
【請求項２】
前記第１のおよび第２のデータ信号は、同時に送信される、請求項１に記載の方法。
【請求項３】
前記第２のデータ信号を送信することは、
前記第１のおよび第２の内部の導体を使用して前記第２のデータ信号を送信すること、
を備える、請求項１に記載の方法。
【請求項４】
前記第２のデータ信号は、差動信号であり、およびここにおいて、前記第１のデータ信号は、シングル‐エンド信号である、請求項３に記載の方法。
【請求項５】
前記第１のデータ信号は、前記第１の内部の導体および前記導体シールドの間に第１の電圧差を適用することによって送信され、ここにおいて、前記第２のデータ信号は、前記第１のおよび第２の内部の導体の間に第２の電圧差を適用することによって送信される、請求項３に記載の方法。
【請求項６】
前記第２のデータ信号を送信することは、
前記第２の内部の導体および前記導体シールドを使用して前記第２のデータ信号を送信すること、
を備える、請求項１に記載の方法。
【請求項７】
前記第１のおよび第２のデータ信号は、シングル‐エンド信号である、請求項６に記載の方法。
【請求項８】
前記第１のデータ信号は、前記第１の内部の導体および前記導体シールドの間に第１の電圧差を適用することによって送信され、およびここにおいて、前記第２のデータ信号は、前記第２の内部の導体および前記導体シールドの間に第２の電圧差を適用することによって送信される、請求項７に記載の方法。
【請求項９】
前記第１のおよび第２の内部の導体を介して送信向けのデータのセットを受信することと、
データの第１のサブセットおよびデータの第２のサブセットにデータの前記セットを区切ることと、そして、
それぞれ、データの前記第１のおよび第２のサブセットに基づいて前記第１のおよび第２のデータ信号を生成すること、
をさらに備える、請求項１に記載の方法。
【請求項１０】
少なくとも第１の内部の導体、第２の内部の導体、および外部導体シールドを含むケーブルを通したデータ通信の方法であって、
前記第２の内部の導体でなく前記第１の内部の導体および前記導体シールドを介して第１のデータ信号を受信することと、そして、
少なくとも前記第２の内部の導体を使用して第２のデータ信号を受信することと、
を備える、前記方法。
【請求項１１】
前記第１のおよび第２のデータ信号は、同時に受信される、請求項１０に記載の方法。
【請求項１２】
前記第２のデータ信号を受信することは、
前記第１のおよび第２の内部の導体を介して前記第２のデータ信号を受信すること、
を備える、請求項１０に記載の方法。
【請求項１３】
前記第２のデータ信号は、差動信号であり、およびここにおいて、前記第１のデータ信号は、シングル‐エンド信号である、請求項１２に記載の方法。
【請求項１４】
前記第１のデータ信号は、前記第１の内部の導体および前記導体シールドの間の第１の電圧差を検出することによって受信され、およびここにおいて、前記第２のデータ信号は、前記第１のおよび第２の内部の導体の間の第２の電圧差を検出することによって受信される、請求項１２に記載の方法。
【請求項１５】
前記第２のデータ信号を受信することは、
前記第２の内部の導体および前記導体シールドを介して前記第２のデータ信号を受信すること、
を備える、請求項１０に記載の方法。
【請求項１６】
前記第１のおよび第２のデータ信号は、シングル‐エンド信号である、請求項１５に記載の方法。
【請求項１７】
前記第１のデータ信号は、前記第１の内部の導体および前記導体シールドの間の第１の電圧差を検出することによって受信され、ここにおいて、前記第２のデータ信号は、前記第２の内部の導体および前記導体シールドの間の第２の電圧差を検出することによって受信される、請求項１６に記載の方法。
【請求項１８】
それぞれ、データの第１のサブセットおよびデータの第２のサブセットを回復するために前記第１のデータ信号および前記第２のデータ信号を復号化することと、そして、
単一のデータストリームを作るためにデータの前記第１のサブセットおよびデータの前記第２のサブセットを組み合わせることと、
をさらに備える、請求項１０に記載の方法。
【請求項１９】
通信デバイスであって、
ケーブルに結合される符号器と、少なくとも第１の内部の導体、第２の内部の導体、および外部導体シールドを含む前記ケーブルと、ここにおいて、前記符号器は、
前記第２の内部の導体を使用することなしに前記第１の内部の導体および前記導体シールドを使用して第１のデータ信号を送信する、そして、
少なくとも前記第２の内部の導体を使用して第２のデータ信号を送信する、
を備える、上記デバイス。
【請求項２０】
前記符号器は、同時に前記第１のおよび第２のデータ信号を送信する、請求項１９に記載のデバイス。
【請求項２１】
前記符号器は、前記第１のおよび第２の内部の導体を使用して前記第２のデータ信号を送信し、ここにおいて、前記第２のデータ信号は、差動信号であり、およびここにおいて、前記第１のデータ信号は、シングル‐エンド信号である、請求項１９に記載のデバイス。
【請求項２２】
前記符号器は、前記第１の内部の導体および前記導体シールドの間に第１の電圧差を適用することによって前記第１のデータ信号を送信し、およびここにおいて、前記符号器は、前記第１のおよび第２の内部の導体の間に第２の電圧差を適用することによって前記第２のデータ信号を送信する、請求項２１に記載のデバイス。
【請求項２３】
前記符号器は、前記第２の内部の導体および前記導体シールドを使用して前記第２のデータ信号を送信し、およびここにおいて、前記第１のおよび第２のデータ信号は、シングル‐エンド信号である、請求項１９に記載のデバイス。
【請求項２４】
前記符号器はさらに、
前記第１のおよび第２の内部の導体を介して送信向けのデータのセットを受信する、
データの第１のサブセットおよびデータの第２のサブセットにデータの前記セットを区切る、そして、
それぞれ、データの前記第１のおよび第２のサブセットに基づいて前記第１のおよび第２のデータ信号を生成する、請求項１９に記載のデバイス。
【請求項２５】
通信デバイスであって、
ケーブルに結合される復号器と、少なくとも第１の内部の導体、第２の内部の導体、および外部導体シールドを含む前記ケーブルと、ここにおいて、前記復号器は、
前記第２の内部の導体でなく前記第１の内部の導体および前記導体シールドを介して第１のデータ信号を受信する、そして、
少なくとも前記第２の内部の導体を介して第２のデータ信号を受信する、
を備える、上記デバイス。
【請求項２６】
前記復号器は、同時に前記第１のおよび第２のデータ信号を受信する、請求項２５に記載のデバイス。
【請求項２７】
前記復号器は、前記第１のおよび第２の内部の導体を介して前記第２のデータ信号を受信し、ここにおいて、前記第２のデータ信号は、差動信号であり、およびここにおいて、前記第１のデータ信号は、シングル‐エンド信号である、請求項２５に記載のデバイス。
【請求項２８】
前記復号器は、前記第１の内部の導体および前記導体シールドの間の第１の電圧差を検出することによって前記第１のデータ信号を受信し、およびここにおいて、前記復号器は、前記第１のおよび第２の内部の導体の間の第２の電圧差を検出することによって前記第２のデータ信号を受信する、請求項２７に記載のデバイス。
【請求項２９】
前記復号器は、前記第２の内部の導体および前記導体シールドを介して前記第２のデータ信号を受信し、およびここにおいて、前記第１のおよび第２のデータ信号は、シングル‐エンド信号である、請求項２５に記載のデバイス。
【請求項３０】
前記復号器は、
それぞれ、データの第１のサブセットおよびデータの第２のサブセットを回復するために前記第１のデータ信号および前記第２のデータ信号を復号化する、そして、
単一のデータストリームを作るためにデータの前記第１のサブセットおよびデータの前記第２のサブセットを組み合わせる、請求項２５に記載のデバイス。
【手続補正２】
【補正対象書類名】明細書
【補正対象項目名】０００６
【補正方法】変更
【補正の内容】
【０００６】
[0006]  いくつかの実施形態に関して、第２の信号は、第１のおよび第２の内部の導体を使用して送信され得る。第１のデータ信号は、第１のまたは第２の内部の導体のうちの１つおよび導体シールドの間に第１の電圧を適用することによって送信され得る。第２のデータ信号は、第１のおよび第２の内部の導体の間に第２の電圧を適用することによって送信され得る。いくつかの実施形態に関して、第１のデータ信号は、差動信号として送信され得、第２のデータ信号は、シングル‐エンド信号として送信され得る。
【手続補正３】
【補正対象書類名】明細書
【補正対象項目名】０００７
【補正方法】変更
【補正の内容】
【０００７】
[0007]  他の実施形態に関して、第１のデータ信号は、第１の内部の導体および導体シールドを使用して送信され得、第２のデータ信号は、第２の内部の導体および導体シールドを使用して送信され得る。第１のデータ信号は、第１の内部の導体および導体シールドの間に第１の電圧を適用することによって生成され得る。第２のデータ信号は、第２の内部の導体および導体シールドの間に第２の電圧を適用することによって生成され得る。
【手続補正４】
【補正対象書類名】明細書
【補正対象項目名】００２４
【補正方法】変更
【補正の内容】
【００２４】
[0036]  送信機４２０は、トワイナックスケーブル２１０の２つの内部の導体２０１および２０２を使用してＭＩＭＯ‐符号化されたデータ（MIMO-encoded data）４０２（１）の第１のサブセットを送信する（例えば、データ信号の第１のセットとして）（５２０）。図２および３に関して上述されたように、送信機４２０は、２つの内部の導体２０１および２０２の間に電圧（Ｖ１２）を適用することによってデータ信号の第１のセットを送信し得る（例えば、差動信号として）。送信機４２０はさらに、導体シールド２０３および内部の導体２０２を使用してＭＩＭＯ‐符号化されたデータ４０２（２）の第２のサブセットを送信する（例えば、データ信号の第２のセットとして）（５３０）。例えば、図２および３に関して上述されたように、送信機４２０は、データ信号の第２のストリームを送信するために（例えば、シングル‐エンド信号として）導体シールド２０３および第２の内部の導体２０２の間に第２の電圧信号（Ｖ２Ｓ）を適用し得る。いくつかの実施形態に関して、データ信号の第１のおよび第２のセットは、同時に送信され得る。
【手続補正５】
【補正対象書類名】明細書
【補正対象項目名】００２９
【補正方法】変更
【補正の内容】
【００２９】
[0041]  データ信号の第１のセットは、例えば、第１の内部の導体２０１および導体シールド２０３の間に第１の電圧Ｖ１Ｓを適用することによって、第１の電源６０４を使用して導体シールド２０３および第１の内部の導体２０１を介して送信され得る。データ信号の第２のセットは、例えば、第２の内部の導体２０２および導体シールド２０３の間に第２の電圧Ｖ２Ｓを適用することによって、第２の電源６０５を使用して導体シールド２０３および第２の内部の導体２０２を介して送信され得る。